(57)【特許請求の範囲】
【請求項１】
内部中空状に形成した金属製の湯たんぽ本体と、
該湯たんぽ本体に形成した開口部に装着して給排水口を構成する略筒状の口体と、
該口体に着脱自在に装着して前記給排水口を閉口する蓋体とで構成し、
前記口体を合成樹脂で構成するとともに、
前記口体の外面の少なくとも一部に接触して前記口体を保持する保持部、及び該保持部から外方に突出する突出部で構成する環状で金属製の環状金具と、
前記突出部を加締めて前記口体を前記開口部に保持する加締め部とを備えた
湯たんぽ。
【請求項２】
前記加締め部を、
前記湯たんぽ本体と一体に構成するとともに、
前記環状金具を、
略筒状の前記口体における軸方向の一端面に当接する第１当接部と、外方に突出する第１突出部とを備えた略筒状の第１環状金具と、
略筒状の前記口体における前記軸方向の他端面に当接する第２当接部と、外方に突出する第２突出部とを備えた略筒状の第２環状金具とで構成し、
前記第１環状金具と前記第２環状金具との少なくとも一方に、前記口体の外周面を覆う略筒状の囲繞部を備え、
前記第１当接部と前記第２当接部と前記囲繞部とで前記保持部を構成するとともに、
前記第１突出部と前記第２突出部とを重合させて前記突出部を構成した
請求項１に記載の湯たんぽ。
【請求項３】
略筒状の前記口体における軸方向の一端面に当接する本体側当接部、及び前記加締め部を、前記湯たんぽ本体と一体に構成し、
前記環状金具に、
略筒状の前記口体における前記軸方向の他端面に当接する金具側当接部を備えた
請求項１に記載の湯たんぽ。
【請求項４】
前記環状金具を、
前記湯たんぽ本体を構成する金属材料よりもイオン化傾向が大きい金属材料で構成した
請求項１から３のうちいずれか一項に記載の湯たんぽ。
【請求項５】
前記環状金具を、
前記湯たんぽ本体よりも熱膨張率が大きく、前記口体よりも熱膨張率が小さい金属材料で構成した
請求項１から４のうちいずれか一項に記載の湯たんぽ。
【発明の詳細な説明】
【技術分野】
【０００１】
この発明は、例えば、湯や冷水などを内部に入れて保温器具として用いる湯たんぽに関する。
【背景技術】
【０００２】
湯たんぽは、湯を入れて冬の寒さを凌いだり、冷水を入れて夏の暑さを和らげたり、発熱した患部を冷やしたりする保温器具のひとつとして用いられており、例えば、特許文献１に記載のような金属製の湯たんぽの他、合成樹脂製の湯たんぽなど、様々な種類の湯たんぽが提案されている。
【０００３】
特許文献１に記載するような一般的な湯たんぽは、注水口を有する内部中空状の容器本体と、注水口を被蓋する口金（栓）と、注水口を構成するとともに、口金（栓）と螺合する受金（口）とで構成している。
【０００４】
なお、金属製の湯たんぽにおいて、注水口を被蓋する蓋を口金といい、注水口を構成するとともに、口金と螺合する注水口を受金という。これに対し、合成樹脂製の湯たんぽにおいて、口金に対応するものを栓といい、受金に対応するものを口というが、本明細書においては、理解を容易にするために素材に関わらず、口金や栓を蓋体とし、受金や口を口体とし、注水口を給排水口とする。
【０００５】
また、特許文献１に記載するような一般的な金属製の湯たんぽは、例えば、鉄板に亜鉛メッキを施した亜鉛鉄板や亜鉛鍍鉄板など、いわゆるトタンと呼ばれる亜鉛メッキ鋼板を曲げて容器本体を形成するとともに、真鍮を含む銅などの金属材料を削り出して蓋体及び口体を形成するが、金属材料を削り出して形成する蓋体や口体は、金属材料を削り出すための手間や時間がかかったり、歩留まりが低く、生産効率が悪いため、生産コストが高い、つまり、一般的な金属製の湯たんぽは、生産性が低いと言わざるを得なかった。
【０００６】
このように生産性が低い一般的な金属製の湯たんぽは、蓋体や口体の生産効率を向上して、生産コストを低減させることで、湯たんぽの生産性を向上することは困難であり、特に、湯たんぽに湯や水の給排水を容易に行うために、或いは氷などを湯たんぽに入れるために大口に形成した蓋体や口体を有する金属製の湯たんぽの場合、蓋体や口体の生産効率はさらに悪いため、湯たんぽの生産性を向上させることはさらに困難であった。
【先行技術文献】
【特許文献】
【０００７】
【特許文献１】登録実用新案３１６４０７３号公報
【発明の概要】
【発明が解決しようとする課題】
【０００８】
そこで本発明は、生産性を向上させた湯たんぽを提供することを目的とする。
【課題を解決するための手段】
【０００９】
この発明は、内部中空状に形成した金属製の湯たんぽ本体と、該湯たんぽ本体に形成した開口部に装着して給排水口を構成する略筒状の口体と、該口体に着脱自在に装着して前記給排水口を閉口する蓋体とで構成し、前記口体を合成樹脂で構成するとともに、前記口体の外面の少なくとも一部に接触して前記口体を保持する保持部、及び該保持部から外方に突出する突出部で構成する環状で金属製の環状金具と、前記突出部を加締めて前記口体を前記開口部に保持する加締め部とを備えた湯たんぽであることを特徴とする。
【００１０】
上記湯たんぽ本体に形成した開口部に装着して給排水口を構成する略筒状の口体とは、開口部に直接装着する口体や、別部材を用いて開口部に装着する口体を含むとともに、湯たんぽ本体の外形よりも内部に突出するように装着する口体、湯たんぽ本体の外形よりも外部に突出するように装着する口体、或いは、湯たんぽ本体の外形から外部及び内部の両方に突出するように装着する口体などを含む概念である。
【００１１】
上記開口部に装着とは、加締めによる装着、溶接による装着、或いは圧着による装着などを含む概念である。  
上記口体に着脱自在に装着して前記給排水口を閉口する蓋体とは、口体に螺合して装着する蓋体や、口体に嵌合して装着する蓋体などを含む概念である。
【００１２】
上記口体の外面は、略筒状の口体の内周面を除く、口体の軸方向に沿った一端面及び他端面と、口体の外周面とを含む概念である。  
上記加締め部は、湯たんぽ本体と一体に構成した加締め部、環状金具と一体に構成した加締め部、湯たんぽ本体及び環状金具のそれぞれと一体に構成した加締め部、或いは、別部材で構成した加締め部などを含む概念である。
【００１３】
この発明により、湯たんぽの生産性を向上させることができる。  
詳述すると、真鍮を含む銅などの金属材料で構成した一般的な口体は、金属材料を削り出して形成するため、手間や時間がかかったり、歩留まりが低いため生産効率が悪く、生産コストが高い、つまり、湯たんぽの生産性は低く、生産効率を改善して生産性を向上することは困難であるが、合成樹脂で構成した口体は、金属材料で構成する口体よりも加工性が高く、歩留まりも良好であるため、金属材料で構成した一般的な口体に比べて、生産効率を向上させ、生産コストを低減させることができ、結果、湯たんぽの生産性を向上させることができる。
【００１４】
さらに、金属材料を削り出して形成する金属製の口体に比べ、合成樹脂で構成した口体は、例えば、射出成形などで形成できるため、生産効率が高く、また、金属製の口体は、金属材料を削り出す際に切り屑が生じ、この切り屑を溶融して再利用する必要があって歩留まりが悪いが、例えば、射出成形などで形成できる合成樹脂製の口体は、そもそも切り屑などのロスが発生せず、金属製の口体に比べて歩留りが良好である。
【００１５】
さらにまた、一般的な合成樹脂は、金属材料よりも安価であるため、合成樹脂で構成した口体は、金属材料で構成した口体よりも材料コストを削減でき、低コストの湯たんぽを構成することができる。このように、合成樹脂で構成した口体は、金属材料で構成した口体よりも生産性が高く、しかも、合成樹脂は、真鍮を含む銅などの金属材料よりも軽量であるため、湯たんぽを使用する際の取扱い性を向上させることができる。
【００１６】
また、口体を合成樹脂で構成したことにより、蓋体も合成樹脂で構成することができるため、蓋体を形成する際の生産性も向上させるとともに、取扱い性を向上させた低コストの湯たんぽを構成することができる。
【００１７】
なお、湯たんぽ本体へ湯の給排水を容易に行ったり、湯や水の他に氷などの固形物を容易に入れるために給排水口を大きく形成した場合、つまり、口体や蓋体が大きくなるほど、合成樹脂で構成した口体や蓋体は、金属材料で構成した口体や蓋体に比べて生産性や取扱い性を向上させる効果はより顕著となる。
【００１８】
また、前記口体の外面の少なくとも一部に接触して前記口体を保持する保持部、及び該保持部から外方に突出する突出部で構成する環状で金属製の環状金具と、前記突出部を加締めて前記口体を前記開口部に保持する加締め部とを備えることにより、口体を破損させることなく開口部に装着することができる。
【００１９】
詳述すると、例えば、合成樹脂製の口体を、加締め部で直接加締めて、湯たんぽ本体の開口部に口体を装着した場合、加締める際の圧力によって口体が破損するおそれがあるが、環状金具を構成する突出部を加締め部で加締めることで、合成樹脂製の口体を、加締める際にプレス機などの圧力が直接作用することなく加締めることができる。従って、加締める際の圧力によって破損することなく口体を開口部に装着することができる。
【００２０】
またこの発明の態様として、前記加締め部を、前記湯たんぽ本体と一体に構成するとともに、前記環状金具を、略筒状の前記口体における軸方向の一端面に当接する第１当接部と、外方に突出する第１突出部とを備えた略筒状の第１環状金具と、略筒状の前記口体における前記軸方向の他端面に当接する第２当接部と、外方に突出する第２突出部とを備えた略筒状の第２環状金具とで構成し、前記第１環状金具と前記第２環状金具との少なくとも一方に、前記口体の外周面を覆う略筒状の囲繞部を備え、前記第１当接部と前記第２当接部と前記囲繞部とで前記保持部を構成するとともに、前記第１突出部と前記第２突出部とを重合させて前記突出部を構成することができる。
【００２１】
上記環状金具は、第１環状金具と第２環状金具とのいずれか一方に囲繞部を備えた環状金具や、第１環状金具と第２環状金具とのそれぞれに囲繞部を備えた環状金具などを含む概念である。  
上記一端面及び他端面は、筒状の口体における軸方向の一端面及び他端面のみならず、例えば、口体が外周面から外方に突出するフランジを有する場合、上記軸方向におけるフランジの一端面及び他端面などを含む概念である。
【００２２】
この発明により、第１当接部と第２当接部と囲繞部とで構成する保持部に保持された口体の一端面に第１当接部が当接して、一端面側から口体が意図せずに外れることを第１環状金具が防止するとともに、口体の他端面に第２当接部が当接して、他端面側から口体が意図せずに外れることを第２環状金具が防止するため、第１環状金具と第２環状金具とで構成する環状金具を介して、開口部に口体を確実に保持することができる。
【００２３】
またこの発明の態様として、略筒状の前記口体における軸方向の一端面に当接する本体側当接部、及び前記加締め部を、前記湯たんぽ本体と一体に構成し、前記環状金具に、略筒状の前記口体における前記軸方向の他端面に当接する金具側当接部を備えることができる。
【００２４】
この発明により、口体の一端面に本体側当接部が当接して、一端面側から口体が意図せずに外れることを本体側当接部が防止するとともに、口体の他端面に金具側当接部が当接して、他端面側から口体が意図せずに外れることを金具側当接部が防止するため、湯たんぽを構成する部品点数を増加させることなく、環状金具を介して、開口部に口体を確実に保持することができる。
【００２５】
またこの発明の態様として、前記環状金具を、前記湯たんぽ本体を構成する金属材料よりもイオン化傾向が大きい金属材料で構成することができる。  
上記環状金具を構成する金属材料は、一般的な湯たんぽ本体を構成する亜鉛メッキ鋼板よりもイオン化傾向が大きい、例えば、アルミニウム系材料などを含む概念である。
【００２６】
この発明により、湯たんぽ本体の内部における錆の発生を抑制することができる。  
詳述すると、湯たんぽ本体を構成する金属材料よりも、イオン化傾向が大きい金属材料で構成した環状金具を、湯たんぽ本体の開口部に対して装着すると、異種金属が接触することとなり、このような場合、湯たんぽ本体よりも環状金具の方が酸化し易いため、いわゆる犠牲防食効果により、湯たんぽ本体の内部における錆の発生を抑制することができる。
【００２７】
またこの発明の態様として、前記環状金具を、前記湯たんぽ本体よりも熱膨張率が大きく、前記口体よりも熱膨張率が小さい金属材料で構成することができる。  
この発明により、湯たんぽ本体、環状金具、口体及び蓋体を密着するように固定することができる。
【００２８】
詳述すると、湯たんぽ本体と口体との間に配置される環状金具を、上述のように構成したことにより、湯たんぽの内部に湯を入れた場合、湯たんぽ本体よりも熱膨張率が大きい環状金具は、湯たんぽ本体の開口部に密着するように膨張するとともに、環状金具よりも熱膨張率が大きい口体は、環状金具に密着するように膨張するため、湯たんぽの密閉性を向上させることができる。
【００２９】
さらに、環状金具よりも熱膨張率が大きい口体は、環状金具に密着するまで膨張しても、さらに膨張しようとして、略筒状の口体における内方に、つまり給排水口側に膨張することで、蓋体と密着し、湯たんぽの密閉性をより向上させることができる。
【００３０】
またこの発明の態様として、前記口体から外方に突出する金属製の突出部を、前記口体と一体に構成し、前記突出部を加締めて前記口体を前記開口部に保持する加締め部を備えることができる。  
この発明により、湯たんぽ本体の開口部に口体を装着する際の部品点数を削減して、開口部に口体を容易に装着することができるため、湯たんぽの生産性を向上させることができる。
【発明の効果】
【００３１】
本発明は、生産性を向上させた湯たんぽを提供することができる。
【図面の簡単な説明】
【００３２】
【図１】湯たんぽの説明図。
【図２】湯たんぽの拡大断面図による説明図。
【図３】湯たんぽの分解断面図。
【図４】第２加締め部、口体、及び固定リングの斜視図による説明図。
【図５】口体と、固定リングと、第２加締め部とを装着する様子をあらわす断面図による説明図。
【図６】口体周辺の拡大断面図。
【図７】他の実施形態の固定リングの説明図。
【図８】他の実施形態の固定リング周辺の拡大断面図。
【図９】他の実施形態の口体の説明図。
【図１０】他の実施形態の蓋体の説明図。
【図１１】他の実施形態の口体周辺の拡大断面図。
【図１２】他の実施形態の口体周辺の拡大断面図。
【発明を実施するための形態】
【００３３】
この発明の一実施形態における湯たんぽ１の構成について、図１から図６を用いて説明する。  
なお、図１（ａ）は、湯たんぽ１の平面図を示し、図１（ｂ）は、図１（ａ）中のＡ−Ａ線に沿った湯たんぽ１の断面図を示し、図１（ｃ）は、図１（ａ）中のＢ−Ｂ線に沿った湯たんぽ１の断面図を示している。
【００３４】
図２（ａ）は、図１（ｂ）中のα部を拡大した拡大断面図を示し、図２（ｂ）は、図１（ｂ）中のβ部を拡大した拡大断面図を示し、図３は、湯たんぽ１を分解した分解断面図を示し、図４（ａ）は、第２加締め部２２周辺の斜視図を示し、図４（ｂ）は、口体３の斜視図を示し、図４（ｃ）は、固定リング４の斜視図を示している。
【００３５】
図５（ａ）は、口体３を固定リング４に装着する様子をあらわす断面図を示し、図５（ｂ）は、口体３を装着した固定リング４を第２加締め部２２に装着する様子をあらわす断面図を示し、図５（ｃ）は、口体３及び固定リング４を装着した第２加締め部２２を加締める様子をあらわす断面図を示し、図６は、図２（ａ）中のγ部の拡大図断面図を示している。
【００３６】
本実施形態における湯たんぽ１は、例えば、湯を入れて冬の寒さを凌いだり、冷水を入れて夏の暑さを和らげたり、氷を入れて発熱した患部を冷やしたりする保温器具のひとつとして用いられている。
【００３７】
このような湯たんぽ１は、図１（ａ）に示すように、平面視略楕円形に形成されており、図１（ｂ）及び図２（ａ）に示すように、内部中空状の湯たんぽ本体２と、給排水口３１を構成する口体３と、該口体３を湯たんぽ本体２に固定する固定リング４と、口体３に取り付けて給排水口３１を閉口する蓋体５と、該蓋体５に取り付けて止水性を向上させるＯリング６とで構成している。
【００３８】
湯たんぽ本体２は、鉄板に亜鉛メッキを施した亜鉛鉄板や亜鉛鍍鉄板など、いわゆるトタンと呼ばれる亜鉛メッキ鋼板を、図３に示すように、上下方向Ｈのうち一方が開口するドーム状に形成するとともに、開口同士が対向するように配置した平面視略楕円形の下側湯たんぽ本体１０と上側湯たんぽ本体２０とで構成している。
【００３９】
なお、湯たんぽ本体２は、金属材料で構成していれば、亜鉛メッキ鋼板で構成することだけに限らず、例えば、ステンレスや銅などで構成してもよい。また、湯たんぽ本体２は、平面視略楕円形で構成することだけに限らず、例えば、平面視略円形などに形成してもよい。
【００４０】
ここで、本実施形態における湯たんぽ１の構成の理解を容易にするために、下側湯たんぽ本体１０と上側湯たんぽ本体２０とが対向する方向を上下方向Ｈとし、該上下方向Ｈのうち下側湯たんぽ本体１０側を下方Ｈｄとするとともに、上側湯たんぽ本体２０側を上方Ｈｕとする。さらに、上下方向Ｈに直交する方向を水平方向とするとともに、水平方向のうち平面視略楕円形の湯たんぽ本体２の長軸に沿った方向を長軸方向Ｌとし、短軸に沿った方向を短軸方向Ｗとする。
【００４１】
下側湯たんぽ本体１０は、図３に示すように、底面が略平板状で、上方Ｈｕが開口する略ドーム状に形成されており、開口の周縁から外方に突出する突出片１１を備えている。  
突出片１１は、図２（ｂ）に示すように、水平方向に沿って突出している。
【００４２】
上側湯たんぽ本体２０は、図１（ｃ）に示すように、短軸方向Ｗに断面波状となるような複数の溝部２０ａを、上面の長軸方向Ｌに沿って湾曲するように形成するとともに、図３に示すように、下方Ｈｄが開口するドーム状に形成されており、下側湯たんぽ本体１０の突出片１１を加締めて固定する第１加締め部２１と、固定リング４を加締めて固定する第２加締め部２２とを備えている。
【００４３】
第１加締め部２１は、図２（ｂ）及び図３に示すような断面逆Ｌ字状となるように、上側湯たんぽ本体２０の開口の周縁から水平方向に沿って外方に突出する第１突出片２１ａと、該第１突出片２１ａの外縁から下方Ｈｄに突出する第２突出片２１ｂとで構成し、これら第１突出片２１ａ及び第２突出片２１ｂを、上側湯たんぽ本体２０の開口の全周に枠状に形成している。
【００４４】
第２加締め部２２は、図３及び図４（ａ）に示すように、上側湯たんぽ本体２０の平面視中央部分が略筒状となるように上方Ｈｕに突出する第１突出片２２ａと、略筒状の第１突出片２２ａの上縁から径方向内側に突出する第２突出片２２ｂとで構成している。
【００４５】
略筒状の第１突出片２２ａは、図１（ａ）及び図４（ａ）に示すように、長軸方向Ｌに沿って対向する部分に、互いに対向する平面状の対向平面２２ｃ，２２ｃを備えている。  
第２突出片２２ｂは、図３及び図４（ａ）に示すように、平面視中央部分に円形の開口部２２ｄを備えている。
【００４６】
口体３は、ポリプロピレンを射出成形して形成した合成樹脂製であって、図４（ｂ）に示すように、内部に給排水口３１を有する円筒状の口体本体３０と、該口体本体３０の上端から径方向外側に突出する口体側フランジ３２とで構成している。
【００４７】
なお、口体３は、合成樹脂で構成していれば、ポリプロピレンで構成することだけに限らない。また、口体３は、射出成形で形成することだけに限らず、例えば、ブロー成形や３Ｄプリンタによる積層成形などでもよい。
【００４８】
円筒状の口体本体３０は、内周面に口体側螺子部３０ａを形成し、この内周面が、上面３０ｂから下面３０ｃまで上下方向Ｈに沿って連通して給排水口３１を構成している。つまり、口体本体３０の軸方向は、上下方向Ｈと略一致する。
【００４９】
口体本体３０の内部に有する給排水口３１は、湯や冷水、或いは氷などを湯たんぽ本体２へ容易に給排水することができるように、一般的な湯たんぽの給排水口よりも大径となるように形成されている。
【００５０】
具体的には、本実施形態における湯たんぽ１の給排水口３１は、湯たんぽ本体２の長軸の約９分の１、かつ短軸の約５分の１の直径を有する大きさである。  
これにより、口体３は、一般的な湯たんぽの口体よりも大きくなるように大径化されている。
【００５１】
口体側フランジ３２は、平面視略円形に形成されており、口体側フランジ３２の外周面において対向する部分に、互いに対向する平面状の対向平面３２ａ，３２ａを備え、口体側フランジ３２の下面３２ｂは、口体３の上面３０ｂ及び下面３０ｃと平行な面となるように形成されている。  
この口体側フランジ３２の上面は、口体３の上面３０ｂの一部である。つまり、口体本体３０の上面と口体側フランジ３２の上面とで、口体３の上面３０ｂを構成している。
【００５２】
固定リング４は、アルミニウムで構成した金属製であって、図３及び図４（ｃ）に示すように、上方Ｈｕ及び下方Ｈｄが開口する逆ハット型に形成されており、逆ハット型の本体部分に対応する略円筒形で内部に口体３を保持するリング本体４０と、逆ハット型の鍔部分に対応する円環状のリング側フランジ４１とで構成している。
【００５３】
なお、固定リング４は、湯たんぽ本体２を構成する亜鉛メッキ鋼板よりもイオン化傾向及び熱膨張率が大きい金属材料で構成するとともに、口体３を構成するポリプロピレンよりも熱膨張率が小さい金属材料で構成していれば、アルミニウムで構成することだけに限らない。
【００５４】
略円筒形のリング本体４０は、内径を口体本体３０の外径と略同等に形成されるとともに、内部に口体３を装着可能な大きさに形成されており、リング本体４０とリング側フランジ４１とを段違いに連結する連結部４２を備えている。  
円環状のリング側フランジ４１は、外周面において対向する部分に、互いに対向する平面状の対向平面４１ａ，４１ａを備え、第２加締め部２２の内部に挿通可能な大きさに形成されている。
【００５５】
連結部４２は、図２（ａ）に示すような断面Ｌ字状となるように、リング本体４０の上縁側が径方向外側に突出してリング側フランジ４１の内縁に連結し、リング側フランジ４１の内縁の全周に枠状に形成されている。  
さらに、この連結部４２は、内周面において対向する部分に、互いに対向する平面状の対向平面４２ａ，４２ａを備えており、内部に口体側フランジ３２を装着可能な大きさに形成されている。
【００５６】
なお、この連結部４２が上方Ｈｕに突出する高さは、口体側フランジ３２の厚さと略一致するように形成されている。つまり、連結部４２は、口体側フランジ３２を装着した状態において、リング側フランジ４１の上面が口体３の上面３０ｂと略一致する高さとなるように形成されている（図２（ａ）及び図５（ｂ）参照）。
【００５７】
蓋体５は、ポリプロピレンで構成した合成樹脂製であって、図１（ａ）及び図２（ａ）に示すような平面視円形で断面Ｔ字状となるように、給排水口３１に装着する円柱状の蓋体本体５０と、該蓋体本体５０よりも拡径された平面視円形で蓋体本体５０を回転させる拡径頭部５１と、Ｏリング６を取り付けるＯリング取付部５２と、拡径頭部５１に取り付けた取手５３とで構成している。
【００５８】
円柱状の蓋体本体５０は、外周面に口体側螺子部３０ａと螺合する蓋体側螺子部５０ａを備えており、給排水口３１と螺合可能な大きさに形成されている。  
拡径頭部５１は、蓋体本体５０よりも大径の円柱体であり、蓋体本体５０の上面に、蓋体本体５０の中心軸と一致するように配置されており、湯たんぽ１の利用者が蓋体５を回転させ易い厚み及び大きさに形成されている。  
これら蓋体本体５０及び拡径頭部５１は、一体に構成している。
【００５９】
Ｏリング取付部５２は、図６に示すように、拡径頭部５１の下面と蓋体本体５０との境界部分において、蓋体５の内部に向けて窪む溝状に形成されている。  
なお、蓋体５は、口体３に螺合して装着することだけに限らず、例えば、ワインのコルクのように、口体３に嵌合する構成であってもよい。
【００６０】
取手５３は、下方Ｈｄが開口する円環状に形成されており、拡径頭部５１の対抗する部分に両端が嵌められている。これにより、取手５３は、拡径頭部５１に対して回動自在に取り付けられており、湯たんぽ本体２の内部に入れた湯の熱が使用者の手に直接伝達することを防止している。
【００６１】
Ｏリング６は、弾性を有するゴム製であって、図２（ａ）及び図６に示すように、蓋体本体５０を挿通して、Ｏリング取付部５２に装着される。  
なお、Ｏリング６は、弾性を有していれば、ゴムで構成することだけに限らない。
【００６２】
上述のように構成した上側湯たんぽ本体２０は、図５（ａ）から図５（ｃ）に示すように、固定リング４に口体３を挿通して装着し、連結部４２を備えたリング本体４０の内部に口体３を保持しながら、固定リング４を第２加締め部２２の内部に装着している。
【００６３】
このとき、口体３は、外面がリング本体４０の内面に密着するように装着されるため、口体３の対向平面３２ａ及び連結部４２の対向平面４２ａも密着している。  
同様に、固定リング４は、外面が第２加締め部２２の内面に密着するように装着されるため、固定リング４の対向平面４１ａ及び第１突出片２２ａの対向平面２２ｃも密着している。
【００６４】
口体３及び固定リング４を装着した第２加締め部２２は、固定リング４のリング側フランジ４１に対応する部分に、例えば、プレス機の圧力が、図５（ｃ）に示す矢印の方向、つまり、上下方向Ｈから作用して、図２（ａ）に示すように、リング側フランジ４１を挟持するように加締めている。
【００６５】
なお、プレス機から直接圧力が作用する部分は、リング側フランジ４１と、該リング側フランジ４１に対応する第２加締め部２２であって、口体側フランジ３２は、プレス機から直接圧力が作用することはない。
【００６６】
このとき、上側湯たんぽ本体２０の第２突出片２２ｂと固定リング４の連結部４２とで口体３の口体側フランジ３２を挟持するように、第２突出片２２ｂが口体３の上面３０ｂに当接するとともに、連結部４２が口体側フランジ３２の下面３２ｂに当接し、口体３は、上側湯たんぽ本体２０の外形よりも湯たんぽ１の内部に配置されるように開口部２２ｄに装着された態様となる。
【００６７】
そして、上側湯たんぽ本体２０は、下側湯たんぽ本体１０と開口同士を上下方向Ｈに対向させた状態において、図２（ｂ）に示すように、下側湯たんぽ本体１０の突出片１１と、上側湯たんぽ本体２０の第１加締め部２１における第１突出片２１ａとを重合させて、突出片１１を第１突出片２１ａとともに挟持するように第２突出片２１ｂを折り返して加締めて固定することで、湯たんぽ本体２を構成している。
【００６８】
湯たんぽ１は、図２（ａ）に示すように、Ｏリング取付部５２にＯリング６を装着した蓋体５を、湯たんぽ本体２の開口部２２ｄに装着された口体３に着脱自在に螺合して給排水口３１を被蓋する構成となっている。  
このとき、湯たんぽ１は、口体３の上面３０ｂとＯリング６とが当接するため、止水性を有することとなる。
【００６９】
なお、上側湯たんぽ本体２０は、固定リング４のリング側フランジ４１を第２加締め部２２で加締めることで、口体３を開口部２２ｄに装着したが、加締めて装着することだけに限らず、溶接による装着であってもよい。
【００７０】
さらに、上記口体３の装着と同様、下側湯たんぽ本体１０の突出片１１を上側湯たんぽ本体２０の第１加締め部２１で加締めて固定することだけに限らず、溶接による固定、或いは圧着による固定であってもよい。
【００７１】
上述のように構成した湯たんぽ１の作用効果について説明する。  
本実施形態の湯たんぽ１は、内部中空状に形成した亜鉛メッキ鋼板製の湯たんぽ本体２と、該湯たんぽ本体２に形成した開口部２２ｄに装着して給排水口３１を構成する略円筒状の口体３と、該口体３に着脱自在に装着して給排水口３１を閉口する蓋体５とで構成し、口体３を合成樹脂で構成したことにより、湯たんぽ１の生産性を向上させることができる。
【００７２】
詳述すると、例えば、真鍮を含む銅などの金属材料で構成した一般的な口体は、金属材料を削り出して形成するため、手間や時間がかかったり、歩留まりが低いため生産効率が悪く、生産コストが高い、つまり、湯たんぽ１の生産性が低く、生産効率を改善して生産性を向上することは困難であるが、ポリプロピレンで構成した口体３は、金属材料で構成する口体よりも加工性が高く、歩留まりも良好であるため、金属材料で構成した一般的な口体に比べて、生産性を向上させ、生産コストを低減させることができ、結果、湯たんぽ１の生産性を向上させることができる。
【００７３】
さらに、金属材料を削り出して形成する金属製の口体に比べ、射出成形で形成したポリプロピレン製の口体３は、生産効率が高く、また、金属製の口体は、金属材料を削り出す際に切り屑が生じ、この切り屑を溶融して再利用する必要があって歩留まりが悪いが、射出成形で形成したポリプロピレン製の口体３は、そもそも切り屑などのロスが発生せず、金属製の口体に比べて歩留りが良好である。
【００７４】
さらにまた、ポリプロピレンなどの合成樹脂は、金属材料よりも安価であるため、合成樹脂で構成した口体３は、金属材料で構成した口体３よりも材料コストを削減でき、低コストの湯たんぽ１を構成することができる。このように、ポリプロピレンで構成した口体３は、金属材料で構成した口体よりも生産性が高く、しかも、合成樹脂は、真鍮を含む銅などの金属材料よりも軽量であるため、湯たんぽ１を使用する際の取扱い性を向上させることができる。
【００７５】
特に、本実施形態における口体３は、一般的な口体よりも大径に形成されているため、湯や水の他に氷などの固形物を容易に入れることを考慮せずに、本実施形態における給排水口３１よりも小径に形成した給排水口を有する金属製の口体を有する湯たんぽに比べて、ポリプロピレンで構成した口体３を有する本実施形態の湯たんぽ１は、生産性や取扱い性をより向上させることができる。
【００７６】
なお、本実施形態における口体３は、上述したように、一般的な湯たんぽの口体よりも大径化したが、口体を大径化せずに、一般的な口体と同様の大きさの口体であっても、上述のような効果を奏することができる。
【００７７】
また、本実施形態の湯たんぽ１は、連結部４２を備えるとともに、口体３の外面に内面が密着して内部に口体３を保持するリング本体４０、及び該リング本体４０に備えた連結部４２から水平方向に沿って外方に突出するリング側フランジ４１で構成する環状でアルミニウム製の固定リング４と、リング側フランジ４１を加締めて口体３を開口部２２ｄに保持する第２加締め部２２とを備えたことにより、口体３を破損させることなく開口部２２ｄに装着することができる。
【００７８】
詳述すると、例えば、ポリプロピレン製の口体３の口体側フランジ３２を、第２加締め部２２で直接加締めて、湯たんぽ本体２の開口部２２ｄに口体３を装着した場合、加締める際の圧力によって口体３が破損するおそれがあるが、固定リング４を構成するリング側フランジ４１を第２加締め部２２で加締めることで、ポリプロピレン製の口体３を、加締める際にプレス機の圧力が直接作用することなく加締めることができる。従って、加締める際の圧力によって破損することなく口体３を開口部２２ｄに装着することができる。
【００７９】
特に、本実施形態における口体３は、一般的な湯たんぽの口体よりも大径化されているため、口体側フランジ３２の一部に曲げや捩じれが生じた場合、大径化した口体３は、曲げや捩じりによるモーメントが、一般的な小径の口体よりも大きくなる。従って、加締める際にプレス機の圧力が直接作用することなく、ポリプロピレン製の口体３を加締めることにより、口体３を破損させることなく確実かつ安全に開口部２２ｄに装着することができる。
【００８０】
さらに、大径化した口体３を有する湯たんぽ１は、一般的な口体よりも給排水口３１が大きいことにより、湯や水の他に氷などを容易に入れることができるものの、開口部２２ｄ付近の強度が低下するため、開口部２２ｄ付近に外力が作用すると、開口部２２ｄ付近の上側湯たんぽ本体２０が変形し易くなって、ポリプロピレン製の口体側フランジ３２に、上側湯たんぽ本体２０の変形による負荷が作用するおそれがあるが、固定リング４を介して口体３を湯たんぽ本体２に装着したことにより、上側湯たんぽ本体２０の変形による負荷を直接口体３に伝達することを防止することができる。
【００８１】
なお、湯たんぽ１は、固定リング４を備えたことにより、固定リング４と第２加締め部２２とを加締めて口体３を開口部２２ｄに装着することだけに限らず、例えば、固定リング４と第２加締め部２２とを溶接して口体３を開口部２２ｄに装着することもできる。
【００８２】
詳述すると、湯たんぽ１は、ポリプロピレン製の口体３と亜鉛メッキ鋼板製の湯たんぽ本体２とで構成したことにより、口体３を第２加締め部２２に対して直接溶接して装着することができないが、湯たんぽ１は、固定リング４を備えたことにより、固定リング４と第２加締め部２２とを溶接して口体３を開口部２２ｄに装着することもできる。
【００８３】
また、本実施形態の湯たんぽ１は、略円筒状の口体３の上面３０ｂに当接する第２突出片２２ｂを有する第２加締め部２２を、湯たんぽ本体２と一体に構成し、固定リング４に、略円筒状の口体３における口体側フランジ３２の下面３２ｂに当接する連結部４２を備えたことにより、口体３の上面３０ｂに第２突出片２２ｂが当接して、口体３の上面３０ｂ側から口体３が意図せずに外れることを第２突出片２２ｂが防止するとともに、口体側フランジ３２の下面３２ｂに連結部４２が当接して、口体３の下面３０ｃ側から口体３が意図せずに外れることを連結部４２が防止するため、開口部２２ｄに口体３を確実に保持することができる。
【００８４】
また、本実施形態の湯たんぽ１は、固定リング４を、湯たんぽ本体２を構成する亜鉛メッキ鋼板よりもイオン化傾向が大きいアルミニウムで構成したことにより、湯たんぽ本体２の内部における錆の発生を抑制することができる。
【００８５】
詳述すると、湯たんぽ本体２を構成する亜鉛メッキ鋼板よりも、イオン化傾向が大きいアルミニウムで構成した固定リング４を、湯たんぽ本体２の開口部２２ｄに対して装着すると、異種金属が接触することとなり、このような場合、湯たんぽ本体２よりも固定リング４の方が酸化し易いため、いわゆる犠牲防食効果により、湯たんぽ本体２の内部における錆の発生を抑制することができる。
【００８６】
また、本実施形態の湯たんぽ１は、固定リング４を、湯たんぽ本体２よりも熱膨張率が大きく、口体３よりも熱膨張率が小さいアルミニウムで構成したことにより、湯たんぽ本体２、固定リング４、口体３及び蓋体５を密着するように固定することができる。
【００８７】
詳述すると、湯たんぽ本体２と口体３との間に配置される固定リング４を、アルミニウムで構成したことにより、湯たんぽ１の内部に湯を入れた場合、亜鉛メッキ鋼板製の湯たんぽ本体２よりも熱膨張率が大きいアルミニウム製の固定リング４は、図６に示すように、湯たんぽ本体２の開口部２２ｄなどに密着するように膨張するとともに、アルミニウム製の固定リング４よりも熱膨張率が大きいポリプロピレン製の口体３は、固定リング４に密着するように膨張するため、湯たんぽ１の密閉性を向上させることができる。
【００８８】
さらに、アルミニウム製の固定リング４よりも熱膨張率が大きいポリプロピレン製の口体３は、固定リング４に密着するまで膨張しても、さらに膨張しようとして、略円筒状の口体３における内方に、つまり給排水口３１側に膨張することで、蓋体５と密着し、湯たんぽ１の密閉性をより向上させることができる。
【００８９】
また、本実施形態の湯たんぽ１は、口体３を合成樹脂で構成したことにより、蓋体５も合成樹脂で構成することができるため、蓋体５を形成する際の生産性も向上させるとともに、取扱い性を向上させた低コストの湯たんぽ１を構成することができる。
【００９０】
詳述すると、一般的な湯たんぽは、口体３に対して蓋体５の着脱を繰り返し行うことで、一方が極端に摩耗することを防止するため、口体３と蓋体５とを同一の材料で構成する、つまり、口体と蓋体との一方を金属材料で構成するとともに、他方を合成樹脂で構成した場合、合成樹脂で構成した方が極端に摩耗するため、両方を同一の材料で構成することが望ましい。
【００９１】
従って、ポリプロピレン製の口体３を備えた湯たんぽ１は、ポリプロピレン製の蓋体５で構成できるため、蓋体５を形成する際の生産性も向上させることができるとともに、取り扱い性を向上させた湯たんぽ１を構成することができる。
【００９２】
なお、蓋体５は、口体３に螺合できるように形成されているため、口体３の大径化に伴って蓋体５も大径化されているが、上述した口体３と同様に、ポリプロピレンで構成した蓋体５は、金属材料で構成した蓋体よりも生産性をより向上させることができる。
【００９３】
また、本実施形態の湯たんぽ１は、装着状態において、互いに密着する上側湯たんぽ本体２０における第２加締め部２２の対向平面２２ｃ、及び固定リング４におけるリング側フランジ４１の対向平面４１ａと、口体３における口体側フランジ３２の対向平面３２ａ、及び固定リング４における連結部４２の対向平面４２ａとを備えたことにより、口体３に対して螺合する蓋体３の回転に伴って口体３が回転することを防止することができる。
【００９４】
詳述すると、対向平面を備えていない平面視円形の第２加締め部を有する上側湯たんぽ本体と、対向平面を備えていない平面視円形の口体側フランジを有する口体と、対向平面を備えていない平面視円形のリング側フランジ及び連結部を有する固定リングとで構成した湯たんぽは、口体に対して螺合する蓋体の回転力が口体及び固定リングに伝達して上側湯たんぽ本体に対して口体や固定リングが回転して、口体に対して蓋体が確実に装着されないおそれがあるが、上側湯たんぽ本体２０に対向平面２２ｃ、口体３に対向平面３２ａ、固定リング４に対向平面４１ａ，４２ａを備えたことで、それぞれの対向平面が回り止めの役割を果たし、蓋体５から伝達された回転力によって、口体３及び固定リング４が上側湯たんぽ本体２０に対して回転することを防止できる。従って、湯たんぽ１の密閉性を向上させることができる。
【００９５】
また、本実施形態の湯たんぽ１は、ドーム状に形成した上側湯たんぽ本体２０の平面視中央部分に開口部２２ｄを平面視に形成した、つまりドーム状の上側湯たんぽ本体２０の上端部分に開口部を形成したことにより、湯たんぽ本体２に湯を十分に給水できるとともに、湯たんぽ本体２０に残ることなく湯を排水することができる。
【００９６】
また、本実施形態の湯たんぽ１は、上側湯たんぽ本体２０を、短軸方向Ｗに断面波状となるような複数の溝部２０ａを、上面の長軸方向Ｌに沿って湾曲するように形成するとともに、下方Ｈｄが開口するドーム状に形成しことにより、湯たんぽ本体２の剛性を向上させるとともに、表面積を増大させることができるため、湯たんぽ本体２が内圧と外圧との気圧差や外力によって変形することを防止できるとともに、湯たんぽ１からの発熱量を増加させることができる。
【００９７】
この発明の構成と、上述の実施形態との対応において、
この発明の加締め部は、実施形態の第２加締め部２２に対応し、
以下同様に、
本体側当接部は、第２突出片２２に対応し、
一端面は、上面３０ａ及び後述する上面３００ｂに対応し、
他端面は、下面３２ｂに対応し、
環状金具は、固定リング４及び後述する固定リング４ａ，４ｂ，４ｃに対応し、
保持部は、口体保持部４３に対応し、
突出部は、リング側フランジ４１及び後述するリング側フランジ４０２，４３１に対応し、
金具側当接部は、連結部４２及び後述する連結部４３２に対応し、
軸方向は、上下方向Ｈに対応し、
突出部は、後述の金属フランジ３２１に対応し、
保持部は、後述の口体保持部４０１に対応し、
第１環状金具は、後述の上側固定リング４１０，４１０ａ，４４０に対応し、
第１当接部は、後述の環状部４１１，４１０ａ，４４１に対応し、
第１突出部は、後述の第１リング側フランジ４１２，４１２ａ，４４２に対応し、
第２環状金具は、後述の下側固定リング４２０，４５０に対応し、
囲繞部は、後述のリング本体４２１，４５１に対応し、
第２突出部は、後述の第２リング側フランジ４２２，４５２に対応し、
第２当接部は、後述の連結部４２３に対応するが、
この発明は、上述の実施形態の構成のみに限定されるものではなく、以下で説明するように多くの実施の形態を得ることができる。
【００９８】
以下において、他の実施形態について図７から図１０を用いて説明する。  
なお、上述した実施形態の構成と同様の構成については、同一の符号を付して、説明を省略する。
【００９９】
図７（ａ）は、固定リング４ａの分解斜視図を示し、図７（ｂ）は、図１（ｂ）中のα部に対応する部分の他の実施形態における拡大断面図を示し、図８は、図１（ｂ）中のα部に対応する部分の他の実施形態における拡大断面図を示し、図９は、口体３ａの一部を断面であらわした斜視図を示している。
【０１００】
図１０（ａ）は、蓋体５ａの一部を断面であらわした斜視図を示し、図１０（ｂ）は、蓋体５ａの断面図を示し、図１０（ｃ）は、第２蓋部５０２を押し上げた状態の蓋体５ａの断面図を示し、図１１及び図１２は、図１（ｂ）中のα部に対応する部分の他の実施形態における拡大断面図を示している。  
なお、図１０（ａ）から図１０（ｃ）における取手５３は、省略している。
【０１０１】
例えば、上述の実施形態によれば、湯たんぽ１を構成する固定リング４は１つの部品だけ構成しているが、固定リング４ａを、図７（ａ）及び図７（ｂ）に示すように、上下方向Ｈから口体３を挟持する上側固定リング４１０と下側固定リング４２０とで構成してもよい。
【０１０２】
上側固定リング４１０は、口体側フランジ３２の外径と同等の外径で環状の環状部４１１と、該環状部４１１の外径と同等の内径で環状の第１リング側フランジ４１２と、環状部４１１の外縁及び第１リング側フランジ４１２の内縁を連結する略円環状の連結部４１３とで構成している。
【０１０３】
この上側固定リング４１０を口体３に装着した状態において、環状部４１１が口体３の上面３０ｂに当接するとともに、連結部４１３が口体側フランジ３２の外周面に当接し、第１リング側フランジ４１２が口体側フランジ３２の外周面から径方向外側に突出している。
【０１０４】
下側固定リング４２０は、上述の実施形態のように、上方Ｈｕ及び下方Ｈｄが開口する逆ハット型に形成されており、略円筒形で内部に口体３を保持するリング本体４２１と、円環状の第２リング側フランジ４２２とで構成している。
【０１０５】
リング本体４２１は、内径を口体本体３０の外径と略同等に形成されるとともに、内部に口体３を装着可能な大きさに形成されており、リング本体４２１と第２リング側フランジ４２２とを段違いに連結する連結部４２３を備えている。
【０１０６】
この連結部４２３を備えた下側固定リング４２０を口体３に装着した状態において、リング本体４２１が口体３の外面に当接するとともに、連結部４２３が口体側フランジ３２の下面３２ｂ及び外周面に当接し、第２リング側フランジ４２２が第１リング側フランジ４１２と重合するように口体側フランジ３２の外周面から径方向外側に突出している。
【０１０７】
これら上側固定リング４１０及び下側固定リング４２０は、口体３に装着された状態において、口体３に当接して口体３を保持するとともに、連結部４２３を備えたリング本体４２１、環状部４１１、及び連結部４１３を口体保持部４０１とするとともに、重合して第２加締め部２２に加締められる第１リング側フランジ４１２及び第２リング側フランジ４２２をリング側フランジ４０２とする。
【０１０８】
このように、固定リング４ａを、略筒状の口体３の上面３０ｂに当接する環状部４１１と、径方向外側に突出する第１リング側フランジ４１２とを備えた上側固定リング４１０と、略筒状の口体側フランジ３２の下面３２ｂに当接する連結部４２３と、径方向外側に突出する第２リング側フランジ４２２とを備えた下側固定リング４２０とで構成し、上側固定リング４１０と下側固定リング４２０に、口体３の外周面を覆う略円筒状のリング本体４２１及び連結部４１３，４２３を備え、連結部４２３を備えたリング本体４２１と環状部４１１と連結部４１３とで口体保持部４０１を構成するとともに、第１リング側フランジ４１２と第２リング側フランジ４２２とを重合させてリング側フランジ４０２を構成したことにより、連結部４２３を備えたリング本体４２１と環状部４１１と連結部４１３とで構成した口体保持部４０１に保持された口体３の上面３０ｂに環状部４１１が当接して、口体３の上面３０ｂ側から口体３が意図せずに外れることを環状部４１１が防止するとともに、口体側フランジ３２の下面３２ｂに連結部４２３が当接して、口体３の下面３０ｃ側から口体３が意図せずに外れることを連結部４２３が防止するため、上側固定リング４１０と下側固定リング４２０とで構成する固定リング４ａを介して開口部２２ｄに口体３を確実に保持することができる。
【０１０９】
なお、上述のように構成することだけに限らず、固定リング４ｂは、図８に示すように、上側固定リング４１０ａを、段違いに連結する連結部４１３を用いずに、環状部４１１ａ及び第１リング側フランジ４１２ａを平板状に連結して構成してもよい。
【０１１０】
これにより、上述のような効果を得ることができるが、この場合、加締める際に口体３ａに対して上側固定リング４１０ａが動かないように、口体３ａの上面３０ａに凸部３３０を備えるとともに、上側固定リング４１０ａの環状部４１１ａに凸部３３０と係止する凹部４１４を備え、互いに係止することが望ましい。もちろん、口体に凹部を備え、上側固定リングに凸部を備えてもよい。
【０１１１】
さらに、固定リング４，４ａのリング本体４０，４２１は、少なくとも口体３の下面３０ｃと口体側フランジ３２との少なくとも一方に当接していればよい。  
例えば、リング本体４０，４２１を備えていない固定リング４，４ａであっても、連結部４２，４２３を備えているため、開口部２２ｄに口体３を確実に保持することができる。  
一方、リング本体４０，４２１の下端部分に、口体３の下面３０ｃに当接する下面当接部分を備えた固定リングの場合は、開口部２２ｄに口体３を、より確実に保持することができる。
【０１１２】
また、上述の実施形態によれば、口体３と固定リング４とを別体で構成したが、口体３ｂは、図９（ａ）及び図９（ｂ）に示すように、上述した実施形態における口体本体３００と、該口体本体３００の上端から径方向外側に突出する口体側フランジ３２０と、該口体側フランジ３２０から外方に突出する金属製の金属フランジ３２１とで構成し、該金属フランジ３２１を第２加締め部２２で加締めて開口部２２ｄに口体３ｂを装着してもよい。
【０１１３】
これにより、湯たんぽ本体２の開口部２２ｄに口体３を装着する際の部品点数を削減して、開口部２２ｄに口体３ｂを容易に装着することができるため、湯たんぽ１の生産性をより向上させることができる。
【０１１４】
また、上述の実施形態によれば、蓋体５は、平面視円形で断面Ｔ字状となるように、給排水口３１に装着する円柱状の蓋体本体５０と、平面視円形で蓋体５０を回転させる拡径頭部５１と、Ｏリング６を取り付けるＯリング取付部５２とで構成しているが、蓋体５ａを、図７（ａ）及び図７（ｂ）に示すように、内部中空状に形成した蓋体本体５００を用いて構成してもよい。
【０１１５】
蓋体本体５００は、平面視中央部分が上面から下面まで連通しており、上方Ｈｕの上側開口部５０１を塞ぐ第１蓋部５１０と、下方Ｈｄの下側開口部５０２を塞ぐ第２蓋部５２０と、第１蓋部５１０及び第２蓋部５２０の間で配置されたバネ５３０とで構成されている。
【０１１６】
第１蓋部５１０は、円盤状に形成されており、第２蓋部５２０を挿通する連通孔５１１と、蓋体本体５００の内部空間と外部空間とを連通する通気孔５１２とを備えている。  
第２蓋部５２０は、下側開口部５０２の上面と当接する当接部５２１と、上方Ｈｕに向けて立設した軸部５２２とを備えており、断面逆Ｔ字状となるような形成されている。軸部５２２は、上側部分が連通孔５１１を通過し、上端が第１蓋部５１０よりも上方Ｈｕに突出している。  
なお、軸部５２２の上側部分は、湯たんぽ１の使用者が摘んだり、摘み易くするための摘みリング５４０を取り付けることができる程度に突出している。
【０１１７】
バネ５３０は、螺旋状に巻き回したコイルバネであって、中心軸が軸部５２２の中心軸と一致するように配置されており、上端部分が第１蓋部５１０に当接するとともに、下端部分が第２蓋部５２０に当接している。
【０１１８】
軸部５２２にバネ５３０を挿通した第２蓋部５２０と、連通孔５１１に軸部５２２を挿通した第１蓋部５１０とで構成した蓋体本体５００は、上側開口部５０１に第１蓋部５１０を固定することで、第２蓋部５２０の当接部５２１が、バネ５３０の付勢力により、下側開口部５０２に付勢されるとともに、図７（ｃ）に示すように、湯たんぽ１の使用者が軸部５２２の上端付近を引っ張ることで内部中空状の蓋体本体５００内を上下方向Ｈに移動できる構成となる。
【０１１９】
このような蓋体５ａは、湯を入れた湯たんぽ１の内圧が上昇しても、湯たんぽ本体２の内部空間の内気が第２蓋部５２０を押し上げて、蓋体本体５００の内部空間を通り、第１蓋部５１０の通気孔５１２から外部に抜け出るため、湯たんぽ１の内圧は外圧と同等になり、湯たんぽ本体２の外形が気圧差によって変形することを防止することができる。
【０１２０】
したがって、湯たんぽ１は、内部に水を入れた状態で、例えばＩＨと呼ばれる電磁調理器などで直接加熱しても、内圧と外圧とを同等にすることができるため、内部と外部との気圧差により湯たんぽ本体２の外形が変形することを防止できる。
【０１２１】
逆に、湯が冷えた場合における蓋体５ａは、湯たんぽ１の内圧が下降するため、湯たんぽ本体２から外すことが困難であるが、第２蓋部５２０の軸部５２２の上側部分を引っ張り上げることで、外気が第１蓋部５１０の通気孔５１２から蓋体本体５００の内部空間を通って湯たんぽ１の内部に侵入するため、下降した湯たんぽ１の内圧は外圧と同等になり、湯たんぽ本体２から蓋体５ａを容易に外すことができる。
【０１２２】
従って、蓋体５ａを備えた湯たんぽ１は、湯の温度の変化に伴って生じる気圧差によって湯たんぽ本体２が変形することを防止できるとともに、湯たんぽ本体２から蓋体５ａを容易に取り外すことができる。
【０１２３】
特に、本実施形態のように口体３の大径化に伴って蓋体５も大径化すると、湯の温度の変化に伴って生じる気圧差の影響を受け易くなり、蓋体５の取り外しがより困難となるが、蓋体５ａを上述のような構成としたことにより、大径化した蓋体５ａであっても、軸部５２２を引き上げるだけで、湯たんぽ本体２から容易かつ確実に取り外すことができる。
【０１２４】
また、上述の実施形態によれば、上側湯たんぽ本体２０の外形よりも口体３を湯たんぽ１の内部に配置するように装着した、つまり、口体３の口体側螺子部３０ａを雌螺子とするとともに、蓋体５の蓋体側螺子部５０ａを雄螺子としたが、図１１に示すように、上側湯たんぽ本体２０の外形よりも口体３ｃを湯たんぽ１の外部に配置するように装着してもよい、つまり、口体側螺子部３００ａを雄螺子とするとともに、蓋体側螺子部５００ａを雌螺子としてもよいし、外部及び内部の両方に突出するように装着してもよい。
【０１２５】
上側湯たんぽ本体２０の外形よりも口体３ｃを湯たんぽ１の外部に配置するように装着した場合、口体３ｃは、外周面に口体側螺子部３００ａを備えた略円筒状の口体本体３１０と、該口体本体３１０の下端から径方向外側に突出する口体側フランジ３１１とで構成するとともに、蓋体５ｂは、円柱状の下面の中央を底面視円形に上方Ｈｕに窪ませた断面逆凹状の蓋体本体５５０と、窪んだ部分の内周面に形成した蓋体側螺子部５００ａと、窪んだ部分の角部からさらに内部に窪む環状のＯリング取付部５５１とで構成し、上側湯たんぽ本体２０から突出した口体３ｃを覆うように蓋体５ｂを螺合して装着するため、Ｏリング取付部５５１に取り付けたＯリング６が口体３ｃの上面３００ｂに密着して、湯たんぽ１の密閉性を向上させることができる。
【０１２６】
なお、この場合における固定リング４ｃは、口体側フランジ３１１の外径と略同等の外径で環状の環状部４３０と、該環状部４３０の外径と同等の内径で環状のリング側フランジ４３１と、環状部４３０及びリング側フランジ４３１を連結する連結部４３２とで構成し、口体３ｃの下面３００ｃに環状部４３０を当接させることで、口体３ｃの下面３００ｃ側から意図せずに口体３ｃが外れることを防止して、口体３ｃを開口部２２ｄに確実に保持することができる。
【０１２７】
また、上述の実施形態によれば、第２加締め部２２は、上側湯たんぽ本体２０と一体に構成されているが、固定リング４ｄと一体に構成した加締め部４５３、上側湯たんぽ本体及び固定リングのそれぞれと一体に構成した加締め部、或いは、別部材で構成した加締め部であってもよい。
【０１２８】
詳述すると、例えば、加締め部４５３を固定リング４ｄと一体に構成する場合、図１２に示すように、上側固定リング４４０とともに固定リング４ｄを構成する下側固定リング４５０に加締め部４５３を備え、上側湯たんぽ本体２００の平面視中央に形成した開口を構成する開口部２０１を加締め部４５１で加締めて、口体３を開口部２０１に装着する構成することができる。
【０１２９】
この場合における固定リング４ｄを構成する上側固定リング４４０は、口体側フランジ３２の外径と略同等の外径で環状の環状部４４１と、該環状部４４１の外径と同等の内径で環状の第１リング側フランジ４４２と、環状部４４１及び第１リング側フランジ４４２を連結する連結部４４３とで構成するとともに、下側固定リング４５０は、口体本体３０の外径と略同等の内径で筒状のリング本体４５１と、該リング本体４５１の外縁から径方向外側に突出する第２リング側フランジ４５２と、該第２リング側フランジの外縁から突出する加締め部４５３とで構成している。なお、上側湯たんぽ本体２００には、第２加締め部２２を備えていない。
【０１３０】
このように構成した湯たんぽ１は、上側固定リング４４０の第１リング側フランジ４４２と下側固定リング４５０の第２リング側フランジ４５２とを重ね合わせて口体３の口体側フランジ３２を挟持し、下側固定リング４５０の径方向内側に向けて加締め部４５３を折り返して第１リング側フランジ４４２の上面に重合させるとともに、さらに径方向外側に加締め部４５３を折り返して上側湯たんぽ本体２００の開口部２０１周辺の上面に重ね合わせるように加締めている。
【０１３１】
換言すると、加締め部４５３によって上側湯たんぽ本体２００に固定された固定リング４ｄを介して口体３を開口部２０１に装着した湯たんぽ１は、加締め部４５３を折り返した部分において、第２リング側フランジ４５２、第１リング側フランジ４４２、加締め部４５３の基端側、上側湯たんぽ本体２００の開口部２０１周辺、及び加締め部４５３の先端側を下方Ｈｄからこの順に配置している。
【０１３２】
以上のように構成した湯たんぽ１は、上側固定リング４４０及び下側固定リング４５０で口体側フランジ３２を挟持した状態で、第１リング側フランジ４４２及び上側湯たんぽ本体２００の開口部２０１周辺を加締め部４５３で加締めることにより、上述の湯たんぽと同様の効果を奏することができる。
【符号の説明】
【０１３３】
１…湯たんぽ
２…湯たんぽ本体
２２…第２加締め部
２２ｂ…第２突出片
２２ｄ…開口部
３，３ａ，３ｂ，３ｃ…口体
３０ｂ，３００ｂ…上面
３１…給排水口
３２ｂ…下面
３２１…金属フランジ
４，４ａ，４ｂ，４ｃ，４ｄ…固定リング
４０，４２１，４５１…リング本体
４１，４０２，４３１…リング側フランジ
４２，４２３，４３２，４４３…連結部
４０１…口体保持部
４１０，４１０ａ，４４０…上側固定リング
４１１，４１１ａ，４３０，４４１…環状部
４１２，４１２ａ，４４２…第１リング側フランジ
４２０，４５０…下側固定リング
４２２，４５２…第２リング側フランジ
４５３…加締め部
５，５ａ，５ｂ…蓋体
Ｈ…上下方向
【図１】
0006345576.tif 000002
【図２】
0006345576.tif 000003
【図３】
0006345576.tif 000004
【図４】
0006345576.tif 000005
【図５】
0006345576.tif 000006
【図６】
0006345576.tif 000007
【図７】
0006345576.tif 000008
【図８】
0006345576.tif 000009
【図９】
0006345576.tif 000010
【図１０】
0006345576.tif 000011
【図１１】
0006345576.tif 000012
【図１２】
0006345576.tif 000013